(57)【特許請求の範囲】
【請求項１】
リニアイメージセンサを有し、原稿の画像情報を読み取る読取手段と、
前記リニアイメージセンサの主走査方向と直交する方向に前記リニアイメージセンサと原稿画像との相対位置を所定の速度で変える副走査手段と、
前記読取手段からの前記画像情報をディジタル画像データに変換するＡ／Ｄコンバータと、
前記Ａ／Ｄコンバータからの複数頁の前記画像データを少なくとも一時的に記憶して順次格納するバッファメモリと、
前記Ａ／Ｄコンバータから前記バッファメモリへ前記画像データを転送する第１の転送手段と、
前記バッファメモリからの出力された前記画像データを記憶する表示メモリと、
前記バッファメモリから前記表示メモリへ前記画像データを転送する第２の転送手段と、
所定の表示装置に接続され、前記表示装置に対して前記表示メモリに記憶された前記画像データを出力する出力手段と
を備え、
前記第１の転送手段により前記複数頁の画像データを前記バッファメモリに順次格納するとともに、前記第２の転送手段は、格納した前記画像データを、表示指示により前記バッファメモリから読み出して表示の為に前記表示メモリに記憶させるものであって、前記バッファメモリへ複数頁の格納完了前に前記画像データを表示可能とするために、
前記読取手段からの画像情報を前記Ａ／Ｄコンバータにより画像データに変換して、前記第１の転送手段により前記バッファメモリへ転送させて前記バッファメモリへ格納させ、前記バッファメモリへの格納中の頁とは異なる既に格納された複数頁の中から前記表示指示された頁の画像データを、前記バッファメモリから前記第２の転送手段により前記表示メモリへ転送させて前記表示メモリに記憶させ、記憶された頁の前記画像データを前記出力手段により出力せしめ、
更に、表示のために前記出力手段により出力せしめた頁の前記画像データを前記バッファメモリにて記憶を維持せしめ、前記バッファメモリに、前記出力手段により出力せしめた頁の前記画像データ以外の頁の画像データがあるか否かの判定をし、あると判定された場合、前記バッファメモリから再表示指示に応じた頁の画像データを読み出して再度表示のために前記表示メモリに記憶させることを特徴とする原稿撮像装置。
【請求項２】
前記第１の転送手段においてデータの圧縮を行い、前記第２の転送手段においてデータの伸長を行うことを特徴とする請求項１に記載の原稿撮像装置。
【請求項３】
表示画面の切替えの指示及び表示画面の変換の指示を遠隔操作によって行うことを特徴とする請求項１又は２に記載の原稿撮像装置。
【請求項４】
原稿の画像情報を読み取るリニアイメージセンサと、
複数頁の前記画像情報を少なくとも一時的に記憶して順次格納するバッファメモリと、
前記バッファメモリから出力された前記画像情報を記憶する表示メモリと、
前記表示メモリに記憶された前記画像情報を所定の表示装置に出力する出力手段と、
前記複数頁の画像情報を前記バッファメモリに順次格納するとともに、格納した前記画像情報を、表示指示により前記バッファメモリから読み出して表示の為に前記表示メモリに記憶させるものであって、前記バッファメモリへ複数頁の格納完了前に前記画像情報を表示可能とするために、
前記リニアイメージセンサにて読み取った画像情報を前記バッファメモリへ格納させ、前記バッファメモリへの格納中の頁とは異なる既に格納された複数頁の中から前記表示指示された頁の画像情報を、前記バッファメモリから前記表示メモリに記憶させ、記憶された頁の前記画像情報を前記出力手段により出力せしめ、
更に、表示のために前記出力手段により出力せしめた頁の前記画像情報を前記バッファメモリにて記憶を維持せしめ、前記バッファメモリに、前記出力手段により出力せしめた頁の前記画像データ以外の頁の画像データがあるか否かの判定をし、あると判定された場合、前記バッファメモリから再表示指示に応じた頁の画像データを読み出して再度表示のために前記表示メモリに記憶させる制御手段と
を備えることを特徴とする原稿撮像装置。
【請求項５】
前記バッファメモリに接続され、表示中及び表示後のデータを格納する他のバッファメモリを更に備えることを特徴とする請求項４に記載の原稿撮像装置。
【請求項６】
原稿の画像情報を読み取るリニアイメージセンサと、
複数頁の前記画像情報を少なくとも一時的に記憶して順次格納するメモリと、
所定の表示装置に対して前記メモリに記憶された前記画像情報を出力する出力手段と、
前記複数頁の画像情報を前記メモリに順次格納するとともに、格納した前記画像情報を、表示指示により前記メモリから読み出して表示の為に前記出力手段を動作させるものであって、前記メモリへ複数頁の格納完了前に前記画像情報を表示可能とするために、前記リニアイメージセンサにて読み取った画像情報を前記メモリへ格納させ、前記メモリへの格納中の頁とは異なる既に格納された複数頁の中から前記表示指示された頁の画像情報を、前記メモリに少なくとも一時的に記憶させ、記憶された頁の前記画像情報を前記出力手段により出力せしめ、
更に、表示のために前記出力手段により出力せしめた頁の前記画像情報を前記メモリにて記憶を維持せしめ、前記メモリに、前記出力手段により出力せしめた頁の前記画像データ以外の頁の画像データがあるか否かの判定をし、あると判定された場合、前記メモリから再表示指示に応じた頁の画像情報を読み出して再度表示のために前記出力手段を動作させる制御手段と
を備えることを特徴とする原稿撮像装置。
【請求項７】
リニアイメージセンサにより原稿の画像情報を読み取る工程と、
複数頁の前記画像情報を少なくとも一時的にバッファメモリに記憶して順次格納する工程と、
前記バッファメモリから出力された前記画像情報を表示メモリに記憶する工程と、
前記表示メモリに記憶された前記画像情報を所定の表示装置に出力する工程と、
前記複数頁の画像情報を前記バッファメモリに順次格納するとともに、格納した前記画像情報を、表示指示により前記バッファメモリから読み出して表示の為に前記表示メモリに記憶させるものであって、前記バッファメモリへ複数頁の格納完了前に前記画像情報を表示可能とするために、
前記リニアイメージセンサにて読み取った画像情報を前記バッファメモリへ格納させ、前記バッファメモリへの格納中の頁とは異なる既に格納された複数頁の中から前記表示指示された頁の画像情報を、前記バッファメモリから前記表示メモリに記憶させ、記憶された頁の前記画像情報を前記出力する工程により出力せしめ、
更に、表示のために前記出力する工程において出力せしめた頁の前記画像情報を前記バッファメモリにて記憶を維持せしめ、前記バッファメモリに、前記出力する工程により出力せしめた頁の前記画像データ以外の頁の画像データがあるか否かの判定をし、あると判定された場合、前記バッファメモリから再表示指示に応じた頁の画像データを読み出して再度表示のために前記表示メモリに記憶させる制御工程と
を備えることを特徴とする原稿撮像方法。
【請求項８】
前記バッファメモリに他のバッファメモリを接続し、当該他のバッファメモリに表示中及び表示後のデータを格納することを特徴とする請求項７に記載の原稿撮像方法。
【請求項９】
リニアイメージセンサにより原稿の画像情報を読み取る工程と、
複数頁の前記画像情報を少なくとも一時的にメモリに記憶して順次格納する工程と、
所定の表示装置に対して前記メモリに記憶された前記画像情報を出力する工程と、
前記複数頁の画像情報を前記メモリに順次格納するとともに、格納した前記画像情報を、表示指示により前記メモリから読み出して表示の為に出力させるものであって、前記メモリへ複数頁の格納完了前に前記画像情報を表示可能とするために、
前記リニアイメージセンサにて読み取った画像情報を前記メモリへ格納させ、前記メモリへの格納中の頁とは異なる既に格納された複数頁の中から前記表示指示された頁の画像情報を、前記メモリに少なくとも一時的に記憶させ、記憶された頁の前記画像情報を前記出力する工程により出力せしめ、
更に、表示のために前記出力する工程において出力せしめた頁の前記画像情報を前記メモリにて記憶を維持せしめ、前記メモリに、前記出力する工程により出力せしめた頁の前記画像データ以外の頁の画像データがあるか否かの判定をし、あると判定された場合、前記メモリから再表示指示に応じた頁の画像情報を読み出して再度表示のために前記メモリから出力させる制御工程と
を備えることを特徴とする原稿撮像方法。
【請求項１０】
請求項１〜６のいずれか１項に記載の原稿撮像装置の各手段として制御装置のコンピュータを機能させるためのプログラムを格納したコンピュータ読み取り可能な記憶媒体。
【請求項１１】
請求項７〜９のいずれか１項に記載の原稿撮像方法の手順を制御装置のコンピュータに実行させるためのプログラムを格納したコンピュータ読み取り可能な記憶媒体。
【発明の詳細な説明】
【０００１】
【発明の属する技術分野】
本発明は、リニアイメージセンサで原稿等を読み取り、イメージデータをビデオ信号として接続された表示装置へ出力する原稿撮像装置に関する。
【０００２】
【従来の技術】
従来、スライドやオーバーヘッドプロジェクタ（ＯＨＰ）などを用いてプレゼンテーションが行われてきたが、パーソナルコンピュータの普及とともにパーソナルコンピュータと液晶プロジェクタとの組み合わせによるプレゼンテーションが行われるようになってきている。この場合でも、補助資料など印刷物や手書きの資料を使用する要求は高く、液晶プロジェクタと組み合わせて使用する原稿撮像装置が求められている。
【０００３】
前記要求に応えるものとして、ＣＣＤなどのエリアイメージセンサを使用したビデオカメラ用いて原稿台上の原稿等の画像情報を読み取り、イメージデータをビデオ信号として出力する原稿撮像装置、いわゆる書画カメラの一例を図２０に示す。
【０００４】
図２０において、３３はエリアイメージセンサを使用したビデオカメラ、３４は原稿を載せる原稿台、３５はこの原稿台上の原稿を照らす照明装置である。
このような原稿撮像装置は、液晶プロジェクタと接続してプレゼンテーションを行う装置やテレビ会議装置に接続して画像入力を行う装置として製品化されている。
【０００５】
しかしながら、エリアイメージセンサを用いた原稿撮像装置は、動画用に開発されたビデオカメラを用いた装置であるため、液晶プロジェクタと接続してプレゼンテーションを行う装置として使用する場合、一般的に瞬時に１画面の原稿が取り込めるという特徴がある一方で、以下に示すような欠点がある。
（１）一般にエリアイメージセンサは比較的解像度が低く、文書原稿などの文字を読み取り出力するための充分な解像度が得られ難い。
（２）出力のビデオ信号として一般のカラーテレビ等で用いられるＮＴＳＣ信号やＳ信号等が用いられているため、伝送経路として液晶プロジェクタなど高画質の表示装置の特性を生かせない。
（３）光路が面であるため、多段にわたりミラーなどの反射により光路を屈折して装置を小型化する方法が取り難いため、装置のサイズが動作時及び格納時共に大きくなってしまう。
【０００６】
そこで、エリアイメージセンサに代わりこれより高解像度が期待されるリニアイメージセンサを用いた原稿撮像装置が提案されている。その一例のブロック構成を図２１に示す。
図２１は従来のリニアイメージセンサを用いた原稿撮像装置３７を示しており、２はリニアイメージセンサ、５はリニアイメージセンサ２からの画像情報をディジタルデータに変換するＡ／Ｄコンバータ、８はＡ／Ｄコンバータ５からのデータを記憶する表示メモリ、９はビデオ信号発生器、１１は装置全体の動作を制御するＣＰＵ、１２はＣＰＵ１１の制御プログラムを格納するＲＯＭ、１４は動作方法指定用スイッチ、１５は液晶ディスプレイなどの表示装置、１６は本装置で読み取る原稿、３８は副走査位置検出器、３９は副走査駆動機構である。
【０００７】
【発明が解決しようとする課題】
しかしながら、図２１で示すリニアイメージセンサを用いた原稿撮像装置では以下のような欠点があった。
【０００８】
（１）読み込んだ原稿のデータを直接的に表示メモリ８に書き込んでいるため、表示中は原稿の読み取りが行えない。従って、表示中の画面の説明が終了して画面切替えの要求を出した後に次の原稿の読取動作を行うことになり、読み取りから表示に至るまでの時間がすべて待ち時間となる。
【０００９】
（２）表示時間短縮のために表示メモリを複数画面分実装する場合には、事前に複数原稿を取り込んでおくことが可能である。ところがこの場合、前準備としての原稿読取に長時間を要し、また、多くの原稿を使用するためには原稿の枚数に応じた表示メモリの容量が必要であり、大容量のメモリを実装する必要が生じる。
【００１０】
（３）リニアイメージセンサは比較的解像度は高いが、表示装置は解像度が低いため、原稿から読み取ったデータは表示メモリに転送される段階で間引かれてしまう。そのため、表示後に画面の回転変換等が必要になった場合、読み取った元データではなく間引かれたデータから変換を行うことになり、変換する毎に画像が劣化してしまう。
【００１１】
（４）表示メモリは回路構成によりデータの構造が決まってしまうため、任意の圧縮を施した画像などを扱うことができず、保存効率が悪い。
【００１２】
（５）リニアイメージセンサを用いた原稿撮像装置では原稿表示の際、エリアイメージセンサを用いた原稿撮像装置に比べ、原稿の読み取り動作を伴うため、原稿読取時間が長く、原稿表示（表示出力）までの待ち時間が長くなってしまう欠点があった。また、複数枚の原稿データを蓄積する機能はないため、過去に読み取った原稿の再描画を行う場合、再度読み取りを行う必要がある。
【００１３】
本発明は上記のような問題点を解消するためになされたものであり、高画質の表示装置の特性を生かし、文書原稿などの文字を読み取り出力するための充分な解像度を持ち、表示画面の説明中に次の原稿の読み取りを行うことができ、表示の切替え時間が短く、更には表示の前準備が不要で、多くの原稿を一括して扱うことのできる小型で安価な原稿撮像装置、原稿撮像方法及び記憶媒体を提供することを目的とする。
【００１４】
また本発明は、読み取り対象原稿を予め読み取っておくことにより、原稿表示の要求があった際、原稿の表示までにかかる時間の短縮及び過去の画像データの蓄積により、再描画の際に原稿を再度読み取ること無く瞬時に原稿の再表示が行うことができ、効果的なプレゼンテーションを可能とする原稿撮像装置、原稿撮像方法及び記憶媒体を提供することを目的とする。
【００１５】
【課題を解決するための手段】
上記目的を達成するため、本発明者らは鋭意検討の結果、以下に示す発明の諸態様に想到した。
【００１６】
本発明である原稿撮像装置は、リニアイメージセンサを有し、原稿の画像情報を読み取る読取手段と、前記リニアイメージセンサの主走査方向と直交する方向に前記リニアイメージセンサと原稿画像との相対位置を所定の速度で変える副走査手段と、前記読取手段からの前記画像情報をディジタル画像データに変換するＡ／Ｄコンバータと、前記Ａ／Ｄコンバータからの複数頁の前記画像データを少なくとも一時的に記憶して順次格納するバッファメモリと、前記Ａ／Ｄコンバータから前記バッファメモリへ前記画像データを転送する第１の転送手段と、前記バッファメモリからの出力された前記画像データを記憶する表示メモリと、前記バッファメモリから前記表示メモリへ前記画像データを転送する第２の転送手段と、所定の表示装置に接続され、前記表示装置に対して前記表示メモリに記憶された前記画像データを出力する出力手段とを備え、前記第１の転送手段により前記複数頁の画像データを前記バッファメモリに順次格納するとともに、前記の第２転送手段は、格納した前記画像データを、表示指示により前記バッファメモリから読み出して表示の為に前記表示メモリに記憶させるものであって、前記バッファメモリへ複数頁の格納完了前に前記画像データを表示可能とするために、前記読取手段からの画像情報を前記Ａ／Ｄコンバータにより画像データに変換して、前記第１の転送手段により前記バッファメモリへ転送させて前記バッファメモリへ格納させ、前記バッファメモリへの格納中の頁とは異なる既に格納された複数頁の中から前記表示指示された頁の画像データを、前記バッファメモリから前記第２の転送手段により前記表示メモリへ転送させて前記表示メモリに記憶させ、記憶された頁の前記画像データを前記出力手段により出力せしめ、更に、表示のために前記出力手段により出力せしめた頁の前記画像データを前記バッファメモリにて記憶を維持せしめ、前記バッファメモリに、前記出力手段により出力せしめた頁の前記画像データ以外の頁の画像データがあるか否かの判定をし、あると判定された場合、前記バッファメモリから再表示指示に応じた頁の画像データを読み出して再度表示のために前記表示メモリに記憶させることを特徴とする。
また、本発明である原稿撮像装置は、原稿の画像情報を読み取るリニアイメージセンサと、複数頁の前記画像情報を少なくとも一時的に記憶して順次格納するバッファメモリと、前記バッファメモリから出力された前記画像情報を記憶する表示メモリと、前記表示メモリに記憶された前記画像情報を所定の表示装置に出力する出力手段と、前記複数頁の画像情報を前記バッファメモリに順次格納するとともに、格納した前記画像情報を、表示指示により前記バッファメモリから読み出して表示の為に前記表示メモリに記憶させるものであって、前記バッファメモリへ複数頁の格納完了前に前記画像情報を表示可能とするために、前記リニアイメージセンサにて読み取った画像情報を前記バッファメモリへ格納させ、前記バッファメモリへの格納中の頁とは異なる既に格納された複数頁の中から前記表示指示された頁の画像情報を、前記バッファメモリから前記表示メモリに記憶させ、記憶された頁の前記画像情報を前記出力手段により出力せしめ、更に、表示のために前記出力手段により出力せしめた頁の前記画像情報を前記バッファメモリにて記憶を維持せしめ、前記バッファメモリに、前記出力手段により出力せしめた頁の前記画像データ以外の頁の画像データがあるか否かの判定をし、あると判定された場合、前記バッファメモリから再表示指示に応じた頁の画像データを読み出して再度表示のために前記表示メモリに記憶させる制御手段とを備えることを特徴とする。
また、本発明である原稿撮像装置は、原稿の画像情報を読み取るリニアイメージセンサと、複数頁の前記画像情報を少なくとも一時的に記憶して順次格納するメモリと、所定の表示装置に対して前記メモリに記憶された前記画像情報を出力する出力手段と、前記複数頁の画像情報を前記メモリに順次格納するとともに、格納した前記画像情報を、表示指示により前記メモリから読み出して表示の為に前記出力手段を動作させるものであって、前記メモリへ複数頁の格納完了前に前記画像情報を表示可能とするために、前記リニアイメージセンサにて読み取った画像情報を前記メモリへ格納させ、前記メモリへの格納中の頁とは異なる既に格納された複数頁の中から前記表示指示された頁の画像情報を、前記メモリに少なくとも一時的に記憶させ、記憶された頁の前記画像情報を前記出力手段により出力せしめ、更に、表示のために前記出力手段により出力せしめた頁の前記画像情報を前記メモリにて記憶を維持せしめ、前記メモリに、前記出力手段により出力せしめた頁の前記画像データ以外の頁の画像データがあるか否かの判定をし、あると判定された場合、前記メモリから再表示指示に応じた頁の画像情報を読み出して再度表示のために前記出力手段を動作させる制御手段とを備えることを特徴とする。
また、本発明である原稿撮像方法は、リニアイメージセンサにより原稿の画像情報を読み取る工程と、複数頁の前記画像情報を少なくとも一時的にバッファメモリに記憶して順次格納する工程と、前記バッファメモリから出力された前記画像情報を表示メモリに記憶する工程と、前記表示メモリに記憶された前記画像情報を所定の表示装置に出力する工程と、前記複数頁の画像情報を前記バッファメモリに順次格納するとともに、格納した前記画像情報を、表示指示により前記バッファメモリから読み出して表示の為に前記表示メモリに記憶させるものであって、前記バッファメモリへ複数頁の格納完了前に前記画像情報を表示可能とするために、前記リニアイメージセンサにて読み取った画像情報を前記バッファメモリへ格納させ、前記バッファメモリへの格納中の頁とは異なる既に格納された複数頁の中から前記表示指示された頁の画像情報を、前記バッファメモリから前記表示メモリに記憶させ、記憶された頁の前記画像情報を前記出力する工程により出力せしめ、更に、表示のために前記出力する工程において出力せしめた頁の前記画像情報を前記バッファメモリにて記憶を維持せしめ、前記バッファメモリに、前記出力する工程により出力せしめた頁の前記画像データ以外の頁の画像データがあるか否かの判定をし、あると判定された場合、前記バッファメモリから再表示指示に応じた頁の画像データを読み出して再度表示のために前記表示メモリに記憶させる制御工程とを備えることを特徴とする。
また、本発明である原稿撮像方法は、リニアイメージセンサにより原稿の画像情報を読み取る工程と、複数頁の前記画像情報を少なくとも一時的にメモリに記憶して順次格納する工程と、所定の表示装置に対して前記メモリに記憶された前記画像情報を出力する工程と、前記複数頁の画像情報を前記メモリに順次格納するとともに、格納した前記画像情報を、表示指示により前記メモリから読み出して表示の為に出力させるものであって、前記メモリへ複数頁の格納完了前に前記画像情報を表示可能とするために、前記リニアイメージセンサにて読み取った画像情報を前記メモリへ格納させ、前記メモリへの格納中の頁とは異なる既に格納された複数頁の中から前記表示指示された頁の画像情報を、前記メモリに少なくとも一時的に記憶させ、記憶された頁の前記画像情報を前記出力する工程により出力せしめ、
更に、表示のために前記出力する工程において出力せしめた頁の前記画像情報を前記メモリにて記憶を維持せしめ、前記メモリに、前記出力する工程により出力せしめた頁の前記画像データ以外の頁の画像データがあるか否かの判定をし、あると判定された場合、前記メモリから再表示指示に応じた頁の画像情報を読み出して再度表示のために前記メモリから出力させる制御工程とを備えることを特徴とする。
【００３９】
【作用】
本発明においては、表示メモリに有効なデータが転送されており表示装置に画像を表示中であっても、リニアイメージセンサにより読み取られた原稿の画像情報をディジタルデータに変換し、このディジタルデータを（第１の）バッファメモリに貯えることができる。前記構成において、バッファメモリにデータが貯えられている場合には、副走査手段や読取手段の動作を待つことなくバッファメモリから表示メモリにデータを転送開始することにより表示までの時間を短縮することができ、表示開始後、表示中の原稿の内容を説明中に次の原稿の情報を読むための副走査手段や読取手段の動作を開始しバッファメモリヘの蓄積を行うので、待ち時間を意識することなく済ませることができる。
【００４０】
また、本発明においては、メモリに表示中の画像情報と表示前の画像情報を同時に記憶することにより、画像表示要求があった際、画像の表示までにかかる時間の短縮、及び画像情報の蓄積により、画像の再描画を行なう場合における原稿の再読み込みを不要とすることができる。
【００４１】
【発明の実施の形態】
以下、本発明を適用した諸実施形態について図面を参照しながら詳細に説明する。
【００４２】
（第１の実施形態）
図１は本実施形態の特徴を最もよく表わすブロック図であり、本実施形態の原稿撮像装置１を示している。２はリニアイメージセンサ、３は原稿位置検出器、４は副走査駆動機構と原稿給送機構を兼ねた原稿駆動機構、５はＡ／Ｄコンバータ、６はリニアイメージセンサ２で読み込みＡ／Ｄコンバータ５でのディジタルデータに変換した原稿情報を後述する表示メモリ８を介して表示装置に表示する前に一時記憶するための第１のバッファメモリ、７は表示中及び表示後のデータを圧縮して格納しておく第２のバッファメモリ、８は表示メモリ、９は表示メモリ８に書き込まれたデータを逐次ビデオ信号に変換して出力するビデオ信号発生器、１０は表示装置情報読み出し器、１１は装置全体の動作を制御するＣＰＵ、１２はＣＰＵ１１が使用する制御プログラムや制御データを格納するＲＯＭ、１３は表示性能指定用スイッチ、１４は動作方法指定用スイッチ、１５は液晶プロジェクタなどの表示装置、１６は本装置で読み取る原稿、１７は後述の原稿トレイ１８上に貯えられている複数枚の原稿である。
【００４３】
第１のバッファメモリ６及び第２のバッファメモリ７は、半導体メモリでもよいが、ハードディスクなどの不揮発性のメモリ装置などを併用してもよい。本実施形態の装置では、第１のバッファメモリ６に貯えられているデータには圧縮伸長は行わず、第２のバッファメモリ７に貯えられているデータにのみ圧縮伸長の処理を行っている。第１のバッファメモリ６の容量は、原稿１枚分の容量より多くても少なくともよく、第１のバッファメモリ６に原稿１枚分以上のデータの蓄積がある場合には、実際の読込動作を伴わずに表示画面の切替えができるためエリアセンサを用いた装置と同等の切替時間を実現できる。また、第１のバッファメモリ６へのデータの蓄積が原稿１枚分に満たない場合でも蓄積量に応じて表示までの時間を短縮することができるが、本装置では原稿１枚分の容量よりも大きい容量を実装している。第２のバッファメモリ７の容量は、原稿１枚分の容量より多ければよいが、本実施形態の装置では原稿２枚分の容量よりも大きい容量を実装し、それぞれ空きの判定を行う際には空き容量が転送する原稿１枚分の容量に満たない時には空きが無いと判定している。
【００４４】
ＣＰＵ１１は、Ａ／Ｄコンバータ５から第１のバッファメモリ６へデータを転送する第１の転送手段、第１のバッファメモリ６から第２のバッファメモリ７へデータを転送する第２の転送手段、第１のバッファメモリ６又は第２のバッファメモリ７から表示メモリ８へデータを所定の表示形式に変換して転送する第３の転送手段としての機能も有する。
【００４５】
動作方法指定スイッチ１４は、具体的には後述の原稿セット検知器１９と赤外線により遠隔操作ができるリモコンスイッチで構成され、リモコンスイッチでは新規原稿表示、回転表示、再表示などの動作の指示をリモコンスイッチ上のボタン押下操作により行うことができるものである。
【００４６】
図２は本実施形態の原稿撮像装置の機械的構造を示す断面図である。同図において１６は読み取り中の原稿、１７は後述の原稿トレイ１８上に貯えられている原稿、１８は原稿トレイ、１９は動作方法指定用スイッチ１４の一部である原稿セット検知器、２０は原稿駆動機構４の一部である給紙ローラ、２１は原稿駆動機構４の一部である分離ローラ、２２は原稿駆動機構４の一部であるメインローラ、２３は原稿駆動機構４の一部である排紙ローラ、２４は読み取り中の原稿１６を照らす光源ランプ、２５は白色板、２６は第１ミラー、２７は第２ミラー、２８は第３ミラー、２９は第４ミラー、３０はレンズ、３１はＡ／Ｄコンバータ５、第１のバッファメモリ６、第２のバッファメモリ７、表示メモリ８、ビデオ信号発生器９、表示装置情報読み出し器１０、ＣＰＵ１１、ＲＯＭ１２などの主要制御回路を搭載するメイン制御基板、３２はメイン制御基板３１に搭載され、ビデオ信号発生器９及び表示装置情報読み出し器１０の信号を表示装置１５と接続するための表示装置接続用コネクタである。
【００４７】
給紙ローラ２０と分離ローラ２１は原稿トレイ１８に貯えられた原稿１７の内の１枚の原稿１６を原稿トレイ１８から原稿読取部まで給送するための給送手段として機能する原稿給送機構の駆動ローラであり、メインローラ２２と排紙ローラ２３は原稿１６をリニアイメージセンサに対して相対的に動かす副走査を行うための副走査駆動機構の駆動ローラである。
【００４８】
これら２つの機構は独立して駆動できる必要があるが、本装置では動力源であるモータの回転方向の切替えとばねクラッチを組み合わせることにより１つの動力源で２つの機構を独立して駆動できるようにしたものである。
【００４９】
図３は本実施形態の装置の起動後の処理手順を示す流れ図である。
先ず、内部の変数や機構の初期化を行い（ステップＳ１〜Ｓ６）、その後に動作方法指定用スイッチ１４による指示待ちのループ処理に入る（Ｓ７〜Ｓ１２）。表示メモリ８の初期化では、全面黒や全面白のデータではなく、本装置１と表示装置１５との接続及び本装置の作動が確認でき、画面の大きさや画質などを調整することができるデータをＲＯＭ１２から読み出すことによって、又はＣＰＵ１１の演算によってそのデータで初期化する。再表示カウンタは第２のバッファメモリ７に貯えられている原稿情報の個数を示す変数である。再表示ポインタは第２のバッファメモリ７に貯えられている原稿情報のうち、どの原稿情報を表示メモリ８に転送しているかを示す変数を示しており、０の時は最後に読み込まれた原稿情報であることを示し、１増える毎に順により古い原稿の情報であることを示している。
【００５０】
リモコンスイッチによる新規原稿表示、回転表示、再表示などの動作の指示がなく、且つ原稿トレイに原稿がセットされていることを原稿セット検知器１９によって検出した場合には、第１のバッファメモリ６に空きがなくなるまで、または原稿トレイ１８に貯えられている原稿１７がなくなるまで連続して原稿の読み取りを行う。リモコンスイッチのボタンが押下され動作の指示がなされた場合には、指示の内容に応じて、新規原稿表示（Ｓ７，Ｓ７’）、回転表示（Ｓ８，Ｓ８’）、再表示（Ｓ９，Ｓ９’）の処理が行われる。本実施形態では、原稿トレイ１８上に貯えられている原稿１７が原稿セット検知器１９によって検出され（Ｓ１０）、第１のバッファメモリ６に空きがあれば（Ｓ１１）、直ちに原稿１７の読み取りを開始するように構成したが、新規原稿表示の指示がされたことによって、原稿トレイ１８上に貯えられている原稿１７の連続読み取りを開始するように構成してもよい。
【００５１】
図４は本実施形態の装置の原稿給送、及び、原稿読み取りの処理手順を示す流れ図である。
先ず、ＣＰＵ１１は光源ランプ２４を点灯させ（Ｓ２１）、モータを回転させ（Ｓ２２）、給送用の給紙ローラ２０及び分離ローラ２１を駆動し、原稿トレイ１８に貯えられている原稿１７のうちの１枚の原稿１６を給送する（Ｓ２３）。原稿１６が原稿位置検出器３に達したタイミングを基準に原稿１６がメインローラ２２に達するまで給送を続ける（Ｓ２４）。原稿１６がメインローラ２２に達した段階でモータの回転を副走査方向に切り替え（Ｓ２５）、給紙ローラ２０及び分離ローラ２１の駆動を停止すると共に副走査用のメインローラ２２及び排紙ローラ２３を駆動する。原稿１６が白色板２５上の原稿読み取り可能位置まで達した段階で（Ｓ２６）、ＣＰＵ１１は、Ａ／Ｄコンバータ５から第１のバッファメモリ６へのデータ転送を開始し（Ｓ２７）、原稿１枚分のデータが転送された段階で（Ｓ２８）データ転送を終了させ（Ｓ２９）、光源ランプ２４を消灯し（Ｓ３０）、原稿排出処理を行い（Ｓ３１）、モータを停止する。
【００５２】
読み取り動作を詳述すると、原稿１６が白色板２５上の読み取り可能位置に達した場合、光源ランプ２４より発せられた光は、原稿１６の画像情報に応じて、非透過原稿の場合には原稿１６の表面で、透過原稿の場合には原稿１６の表面及び白色板２５の板面で反射し、第１ミラー２６、第２ミラー２７、第３ミラー２８、第４ミラー２９、及びレンズ３０を経由してリニアイメージセンサ２で読み取られる。ＣＰＵ１１は、原稿１６の後端が原稿位置検出器３を通過したタイミングから換算して原稿１６が白色板２５上の読み取り可能位置から外れるタイミングを検知し、原稿１６の読み取りが終了したことを認知する。リニアイメージセンサ２で読み取られた原稿１６の画像情報は、Ａ／Ｄコンバータ５でディジタルデータに変換され、必要に応じて階調変換、エッジ強調等の画像処理を行い、第１のバッファメモリ６に格納する。
【００５３】
図５は本実施形態の装置の原稿排出の処理手順を示す流れ図である。
先ず、ＣＰＵ１１はモータを副走査方向に回転させ（Ｓ５１）、副走査用のメインローラ２２及び排紙ローラ２３を駆動する。原稿位置検出器３が原稿１６を検出している時には（Ｓ５２）、原稿１６の後端が原稿位置検出器３を通過するまで待つ。このタイミングから換算して原稿１６が確実に排紙ローラ２３から外れるまでモータを駆動し（Ｓ５３）、外れた段階でモータを停止する（Ｓ５４）。原稿位置検出器３が原稿１６を検出できなかった時には（Ｓ５２）、原稿１６の後端が原稿位置検出器３を通過した直後であると仮定し、このタイミングから換算して原稿１６が確実に排紙ローラ２３から外れるまでモータを駆動し（Ｓ５３）、外れた段階でモータを停止する（Ｓ５４）。
【００５４】
図６は本実施形態の装置の原稿の新規表示の処理手順を示す流れ図である。
先ず、ＣＰＵ１１は第１のバッファメモリ６にデータが格納されているかを確認し（Ｓ４１）、データがある場合には第１のバッファメモリ６内のデータを使用する。第１のバッファメモリ６にデータが無い場合には原稿トレイ１８に貯えられている原稿１７があるか否かを確認し（Ｓ４２）、ある場合には原稿の読み込み動作を行い（Ｓ４３）、新たに第１のバッファメモリ６内に格納されたデータを使用して第２のバッファメモリ７へデータをセットする（Ｓ４４）。原稿トレイ１８に貯えられている原稿１７が無い場合には新規原稿表示の指示を無視する。
【００５５】
図７は本実施形態の装置の第２のバッファメモリ７へのデータ転送と表示メモリ８へのデータ転送の処理手順を示す流れ図である。
先ず、ＣＰＵ１１は第２のバッファメモリ７に空き容量があるか否かを確認し（Ｓ６１）、空きが無い（フル）場合には第２のバッファメモリ７内で最も古いデータを第２のバッファメモリ７から削除し（Ｓ６８）、前述の再表示カウンタをデクリメントし（Ｓ６９）、再度、第２のバッファメモリ７に空き容量があるかどうかを確認する処理に戻る。これは、第２のバッファメモリ７内のデータが圧縮されているため、１枚分のデータを削除しても別の１枚分のデータを格納できるか不明であるためである。第２のバッファメモリ７に空き容量が確保された段階で前述の再表示ポインタと回転カウンタを０にする（Ｓ６２，Ｓ６３）。回転カウンタは表示メモリ８内の画像が第２のバッファメモリ７内の元データに対して何度回転しているかを示す変数であり、回転カウンタの値がｎの時には９０°×ｎ回転していることを示し、ｎは０から３の整数値をとる。従って、表示メモリ８内の画像データは、第２のバッファメモリ７内の最も新しいデータであり、回転は行われておらず元データと同じ向きであることを示している。
【００５６】
続いて、ＣＰＵ１１は第１のバッファメモリ６内で最も古いデータを必要に応じて解像度変換、階調変換、エッジ強調等の画像処理を行い表示メモリ８に転送する（Ｓ６４）。次に、第１のバッファメモリ６内で最も古いデータを圧縮して第２のバッファメモリ７の空き領域に転送し（Ｓ６５）、前述の再表示カウンタをインクリメントして（Ｓ６６）、第１のバッファメモリ６内で最も古いデータを第１のバッファメモリ６から削除する（Ｓ６７）。第２のバッファメモリ７ではなく第１のバッファメモリ６のデータが表示メモリ８に転送されるのは余分なデータの伸長処理を防ぐためである。
【００５７】
表示メモリ８に転送されたデータはビデオ信号発生器９でビデオ信号に変換されて、表示装置接続用コネクタ３２を経由して、逐次、表示装置１５に出力され表示される。ビデオ信号発生器９が発生するビデオ信号はパソコンで使用されるアナログＲＧＢ信号が多用されているが、表示装置１５に直接接続でき、表示装置１５にリアルタイムで表示メモリ８のデータの変更を通知し表示内容に反映できるものであれば、ＤＦＰ（Digital Flat Panel Standard ）やＩＥＥＥ１３９４で規定されているようなディジタル信号で伝送する方式のものでもよい。
【００５８】
図８は本実施形態の装置の表示中の原稿画面の回転表示の処理手順を示す流れ図である。
先ず、ＣＰＵ１１は再表示カウンタの値が０であるかどうかを確認する（Ｓ７１）。再表示カウンタの値が０である場合には、第２のバッファメモリ７にデータが無く、原稿読み取りデータの表示がまだ行われていないことを示し、この場合、回転表示の指示を無視する。再表示カウンタの値が０以外である場合には、回転カウンタをインクリメントした後にモジュロ４（ＭＯＤ４）の演算を行い（Ｓ７２）、今回回転すべき角度の回転カウンタの値を求める。このモジュロ演算を行うことにより、３６０°の指示を０°の指示に戻すことができる。続いて、第２のバッファメモリ７内のデータのうち（Ｓ７３）、再表示ポインタで示すデータの伸長を行い（Ｓ７４）、回転カウンタの値に応じて回転変換し（Ｓ７７〜Ｓ７９）、必要に応じて解像度変換、階調変換、エッジ強調等の画像処理を行い表示メモリ８に転送する（Ｓ８０）。
【００５９】
図９は本実施形態の装置の表示済み原稿の再表示の処理手順を示す流れ図である。
先ず、ＣＰＵ１１は再表示カウンタの値が１以下であるかどうかを確認する（Ｓ８１）。再表示カウンタの値が１以下である場合には、第２のバッファメモリ７にデータがないか、または、１枚しかなく、原稿読み取りデータの表示がまだ行われていないか、または、現在、表示メモリ８に転送されて表示中のデータのみが第２のバッファメモリ７に格納されていることを示し、この場合、再表示の指示を無視する。再表示カウンタの値が２以上である場合には、再表示ポインタをインクリメントした後、再表示カウンタの値でモジュロ演算を行い（Ｓ８２）、今回表示すべき第２のバッファメモリ７内のテータの回転カウンタの値を求める。このモジュロ演算を行うことにより、最も古いデータの次の再表示の順番を最も新しいデータとすることができる。続いて、回転カウンタの値を０にし（Ｓ８３）、第２のバッファメモリ７内のデータのうち（Ｓ８４）、再表示ポインタで示すデータの伸長を行い（Ｓ８５）、必要に応じて解像度変換、階調変換・エッジ強調等の画像処理を行い表示メモリ８に転送する（Ｓ８６）。
【００６０】
以上説明したように、本実施形態では、原稿を読み取り、データを第１のバッファメモリ６に転送するまでの処理と、表示メモリ８のデータをビデオ信号発生器９から出力する処理とを独立して行う。これにより、高画質の表示装置の特性を生かし、文書原稿などの文字を読み取り出力するための充分な解像度を持ち、表示画面の説明中に次の原稿の読み取りを行うことができ、表示の切替え時間が短く、更には表示の前準備が不要で、多くの原稿を一括して扱うことのできる小型で安価な原稿撮像装置が実現する。
【００６１】
（第２の実施形態）
第１の実施形態では、図１のように、原稿撮像装置１を表示装置１５と接続する独立した別装置として構成したが、表示装置１５の筐体内に原稿撮像装置１をサブユニットとして内蔵した一体型の原稿撮像表示装置として構成してもよい。
【００６２】
（第３の実施形態）
図１０は本実施形態の特徴を最もよく表わすブロック図であり、本実施形態の原稿撮像装置１を示している。
２はリニアイメージセンサ、３は原稿位置検出器、４は副走査駆動機構と原稿給送機構を兼ねた原稿駆動機構、５はＡ／Ｄコンバータ、６はリニアイメージセンサ２で読み込みＡ／Ｄコンバータ５でのディジタルデータに変換した原稿情報を蓄積し、後述する表示メモリ８を介して表示装置に表示するためのバッファメモリ、８は表示メモリ、９は表示メモリ８に書き込まれたデータを逐次ビデオ信号に変換して出力するビデオ信号発生器、１０は表示装置情報読み出し器、１１は装置全体の動作を制御するＣＰＵ、１２はＣＰＵ１１が使用する制御プログラムや制御データを格納するＲＯＭ、１３は表示性能指定用スイッチ、１４は動作方法指定用スイッチ、１５は液晶プロジェクタなどの表示装置、１６は本装置で読み取る原稿、１７は後述の原稿トレイ１８上に貯えられている複数枚の原稿である。
【００６３】
バッファメモリ６は、半導体メモリでもよいが、ハードディスクなどの不揮発性のメモリ装置などを併用してもよい。本実施形態の装置では、バッファメモリ６に原稿１枚分以上のデータの蓄積がある場合には、実際の読込動作を伴わずに表示画面の切替えができるためエリアセンサを用いた装置と同等の切替時間を実現できる。メモリに蓄積可能なページ数をＮ、先読みページ数をＰとした場合、表示ページ数は１ページ、再描画可能な過去の原稿ページ数Ｂは（Ｎ−Ｐ−１）ページ、となる。本実施形態の装置では バッファメモリ６は原稿データを５ページ分(Ｎ＝５)蓄積可能な容量を持っている。原稿２ページ分（Ｐ＝２）の容量を先読み用のメモリとし、再描画用に２ページ（Ｂ＝２）割り当てている。
【００６４】
ＣＰＵ１１は、Ａ／Ｄコンバータ５からバッファメモリ６へデータを転送する第１の転送手段、バッファメモリ６から表示メモリ８へデータを所定の表示形式に変換して転送する第２の転送手段としての機能も有する。
【００６５】
動作方法指定スイッチ１４は、具体的には後述の原稿セット検知器１９と赤外線により遠隔操作ができるリモコンスイッチで構成され、リモコンスイッチでは次ページ（次原稿）表示、前ページ（前原稿）表示の動作の指示をリモコンスイッチ上のボタン押下操作により行うことができるものである。
【００６６】
なお、本実施形態の原稿撮像装置の機械的構造は第１の実施形態の図２と同様である。
即ち同図において、１６は読み取り中の原稿、１７は後述の原稿トレイ１８上に貯えられている原稿、１８は原稿トレイ、１９は動作方法指定用スイッチ１４の一部である原稿セット検知器、２０は原稿駆動機構４の一部である給紙ローラ、２１は原稿駆動機構４の一部である分離ローラ、２２は原稿駆動機構４の一部であるメインローラ、２３は原稿駆動機構４の一部である排紙ローラ、２４は読み取り中の原稿１６を照らす光源ランプ、２５は白色板、２６は第１ミラー、２７は第２ミラー、２８は第３ミラー、２９は第４ミラー、３０はレンズ、３１はＡ／Ｄコンバータ５、バッファメモリ６、表示メモリ８、ビデオ信号発生器９、表示装置情報読み出し器１０、ＣＰＵ１１、ＲＯＭ１２などの主要制御回路を搭載するメイン制御基板、３２はメイン制御基板３１に搭載され、ビデオ信号発生器９及び表示装置情報読み出し器１０の信号を表示装置１５と接続するための表示装置接続用コネクタである。
【００６７】
給紙ローラ２０と分離ローラ２１は原稿トレイ１８に貯えられた原稿１７の内の１枚の原稿１６を原稿トレイ１８から原稿読取部まで給送するための給付手段として機能する原稿給送機構の駆動ローラであり、メインローラ２２と排紙ローラ２３は原稿１６をリニアイメージセンサに対して相対的に動かす副走査を行うための副走査駆動機構の駆動ローラである。
【００６８】
これら２つの機構は独立して駆動できる必要があるが、本装置では動力源であるモータの回転方向の切替えとばねクラッチを組み合わせることにより１つの動力源で２つの機構を独立して駆動できるようにしたものである。
【００６９】
図１１は本実施形態の装置の起動後の処理手順を示す流れ図である。
先ず、内部の変数や機構の初期化を行い（ステップＳ１０１〜Ｓ１０６）、その後に動作方法指定用スイッチ１４による指示待ちのループ処理に入る（Ｓ１０７〜Ｓ１１１）。表示メモリ８の初期化では、全面黒や全面白のデータではなく、本装置１と表示装置１５との接続及び本装置の作動が確認でき、画面の大きさや画質などを調整することができるデータをＲＯＭ１２から読み出すことによって、又はＣＰＵ１１の演算によってそのデータで初期化する。表示ページポインタＤｐはバッファメモリ６に貯えられている原稿情報のうち、何れの原稿情報を表示メモリ８に転送しているかを示す変数である。また、最新ページポインタＮｐはバッファメモリ６に貯えられている先読み原稿情報のうち、もっとも新しい原稿情報を示す変数であり、最古ページポインタＯｐはバッファメモリ６に貯えられている再描画原稿情報のうち、もっとも古い原稿情報を示す変数である。
【００７０】
リモコンスイッチによる次ページ表示、前ページ表示などの動作の指示がなく、且つ原稿トレイに原稿がセットされていることを原稿セット検知器１９によって検出した場合には、原稿トレイ１８に貯えられている原稿１７がなくなるまで、又は先読みページ枚数分の原稿を連続して読み取りを行う。リモコンスイッチのボタンが押下され動作の指示がなされた場合には、指示の内容に応じて、次ページ表示（Ｓ１１０，Ｓ１１０’）、前ページ表示（Ｓ１１１，Ｓ１１１’）の処理が行われる。本実施形態では、原稿トレイ１８上に貯えられている原稿１７が原稿セット検知器１９によって検出され（Ｓ１０７）、バッファメモリ６の先読みページ数に空きがあれば（Ｓ１０８）、直ちに原稿１７の読み取りを開始するように構成したが、次ページ表示の指示がされたことによって、原稿トレイ１８上に貯えられている原稿１７の連続読み取りを開始するように構成してもよい。
【００７１】
図１２は本実施形態の装置の原稿給送及び原稿読み取りの処理手順を示す流れ図である。
先ず、ＣＰＵ１１は光源ランプ２４を点灯させ（Ｓ１２１）、モータを回転させ（Ｓ１２２）、給送用の給紙ローラ２０及び分離ローラ２１を駆動し、原稿トレイ１８に貯えられている原稿１７のうちの１枚の原稿１６を給送する（Ｓ１２３）。原稿１６が原稿位置検出器３に達したタイミングを基準に原稿１６がメインローラ２２に達するまで給送を続ける（Ｓ１２４）。原稿１６がメインローラ２２に達した段階でモータの回転を副走査方向に切り替え（Ｓ１２５）、給紙ローラ２０及び分離ローラ２１の駆動を停止すると共に副走査用のメインローラ２２及び排紙ローラ２３を駆動する。原稿１６が白色板２５上の原稿読み取り可能位置まで達した段階で（Ｓ１２６）、ＣＰＵ１１は、最新ページポインタＮｐを１増加させ（Ｓ１２７）、Ｎｐが示すバッファメモリ６のエリアにＡ／Ｄコンバータ５からのデータ転送を開始しする（Ｓ１２８）。原稿１枚分のデータが転送された段階で（Ｓ１２９）データ転送を終了させ（Ｓ１３０）、光源ランプ２４を消灯し（Ｓ１３１）、原稿排出処理を行い（Ｓ１３２）、モータを停止する。
【００７２】
読み取り動作を詳述すると、原稿１６が白色板２５上の読み取り可能位置に達した場合、光源ランプ２４より発せられた光は、原稿１６の画像情報に応じて、非透過原稿の場合には原稿１６の表面で、透過原稿の場合には原稿１６の表面及び白色板２５の板面で反射し、第１ミラー２６、第２ミラー２７、第３ミラー２８、第４ミラー２９、及びレンズ３０を経由してリニアイメージセンサ２で読み取られる。ＣＰＵ１１は、原稿１６の後端が原稿位置検出器３を通過したタイミングから換算して原稿１６が白色板２５上の読み取り可能位置から外れるタイミングを検知し、原稿１６の読み取りが終了したことを認知する。リニアイメージセンサ２で読み取られた原稿１６の画像情報は、Ａ／Ｄコンバータ５でディジタルデータに変換され、バッファメモリ６内の最新ページポインタＮｐを１増加させ、Ｎｐの示すバッファエリアに画像データを格納する（原稿の先読み機能）。
【００７３】
原稿を読み取る毎に最新ページポインタＮｐを１増加させることにより、ページポインタの値が大きいほど新たに読み込まれた原稿であることを示し、ページポインタの値が小さいほど過去に読み込まれた過去の原稿であることを示す。バッファメモリ６内に蓄積可能な原稿ページ数をＮとすると、Ｎページ以上読み込みを行った場合は、最古ページポインタが示す画像データを破棄し、先読み用のページバッファエリアとして再割り当てを行う。また、次ページ表示を行い、表示ページポインタＤｐを増加させた場合、最古ページポインタＯｐとの関係をチェックし、常に再描画が可能な戻りページ数Ｂを超えないように最古ページポインタを１増加させる。実際に各ページポインタが示すバッファメモリ６のバッファエリアは、蓄積可能な原稿ページ数Ｎ以下でなければならないため、ページポインタが示すバッファエリアはページポインタのカウント値に対して蓄積可能な原稿ページ数Ｎでモジュロ計算した値を用いている。このことにより、バッファメモリをリングバッファとして用いることが出来る。
【００７４】
図１３は本実施形態の装置の原稿排出の処理手順を示す流れ図である。
先ず、ＣＰＵ１１はモータを副走査方向に回転させ（Ｓ１４１）、副走査用のメインローラ２２及び排紙ローラ２３を駆動する。原稿位置検出器３が原稿１６を検出している時には（Ｓ１４２）、原稿１６の後端が原稿位置検出器３を通過するまで待つ。このタイミングから換算して原稿１６が確実に排紙ローラ２３から外れるまでモータを駆動し（Ｓ１４３）、外れた段階でモータを停止する（Ｓ１４４）。原稿位置検出器３が原稿１６を検出できなかった時には（Ｓ１４２）、原稿１６の後端が原稿位置検出器３を通過した直後であると仮定し、このタイミングから換算して原稿１６が確実に排紙ローラ２３から外れるまでモータを駆動し（Ｓ１４３）、外れた段階でモータを停止する（Ｓ１４４）。
【００７５】
図１４は本実施形態の装置の原稿の次ページ表示の処理手順を示す流れ図である。
先ず、ＣＰＵ１１はバッファメモリ６に最新ページポインタＮｐが表示ページポインタＤｐより大きい場合（Ｓ１５１）、表示ページポインタＤｐを１増加し（Ｓ１５２）、表示ページポインタＤｐの示すバッファメモリ６内のデータを表示する（Ｓ１５３）。
【００７６】
表示ページポインタＤｐを１増加させた場合、最古ページポインタＯｐとの関係をチェックし（Ｓ１５４）、再描画可能なページ戻りページ数Ｂを超えないように最古ページポインタＯｐを１増加させる（Ｓ５５）。最新ページポインタＮｐが表示ページポインタＤｐより小さいか等しい場合、次ページ表示の指示を無視する（Ｓ１５１）。
【００７７】
その後、指示待ちのループ（Ｓ１０７〜Ｓ１１１）に戻り、原稿トレイ１８に貯えられている原稿１７があるか否かを確認し（Ｓ１０７）、先読みページ数に空きがある場合、原稿読み取り動作を行う（Ｓ１０８）。先読みページ数の空きの有無は先読みページポインタＮｐと表示ページポインタＤｐの差が先読みページ枚数より少ない時、先読み可能と判定される。
【００７８】
図１５は本実施形態の装置の原稿の前ページ表示の処理手順を示す流れ図である。
先ず、ＣＰＵ１１はバッファメモリ６に最古ページポインタＯｐが表示ページポインタＤｐより小さい場合（Ｓ１６１）、表示ページポインタを１減少させ（Ｓ１６２）、表示ページポインタの示すバッファメモリ６内のデータを表示する（Ｓ１６３）。上記以外の場合は前ページ表示の指示を無視する（Ｓ１６１）。
【００７９】
原稿表示は、表示ページポインタＤｐが示すバッファメモリ６内の画像データを表示メモリ８に転送し、ビデオ信号発生器９でビデオ信号に変換されて、表示装置接続用コネクタ３２を経由して、逐次、表示装置１５に出力され表示される。ビデオ信号発生器９が発生するビデオ信号はパソコンで使用されるアナログＲＧＢ信号が多用されているが、表示装置１５に直接接続でき、表示装置１５にリアルタイムで表示メモリ８のデータの変更を通知し表示内容に反映できるものであれば、ＤＦＰ（Digital Flat Panel Standard ）やＩＥＥＥ１３９４で規定されているようなディジタル信号で伝送する方式のものでもよい。
【００８０】
本実施形態によるページ管理、リングバッファ構造によるバッファメモリの使用時の様子を図１６〜図１９に示す。
【００８１】
先ず、初期状態バッファメモリの状態を図１６（ａ）に示す。
原稿がセットされ、原稿の先読みが行われた場合のバッファメモリの状態を図１６（ｂ）に示す。
次ページ表示操作が行われ、1枚目の原稿を表示し、３ページ目の原稿を先読みした場合のバッファメモリの状態を図１６（ｃ）に示す。
さらに次ページ表示操作が行われ、２枚目の原稿を表示し、４ページ目の原稿を先読みした場合のバッファメモリの状態を図１６（ｄ）に示す。
【００８２】
更に、次ページ表示操作が行われ、３枚目の原稿を表示し、５ページ目の原稿を先読みした場合のバッファメモリの状態を図１７（ａ）に示す。
更に、次ページ表示操作が行われ、４枚目の原稿を表示し、最古ページ（1ページ目）を破棄し、６ページ目の原稿を先読みした場合のバッファメモリの状態を図１７（ｂ）に示す。
【００８３】
前ページ表示操作が行われ、３枚目の原稿を表示した場合のバッファメモリの状態を図１８（ａ）に示す。
更に、前ページ表示操作が行われ、２枚目の原稿を表示した場合のバッファメモリの状態を図１８（ｂ）に示す（これ以降、前ページ表示操作を繰り返してもこの操作は無視される。）。
次ページ表示操作が行われ、３枚目の原稿を表示した場合のバッファメモリの状態を図１８（ｃ）に示す（先読みバッファに空が無いため原稿を先読みは行われない。）。
更に、次ページ表示操作が行われ、４枚目の原稿を表示した場合のバッファメモリの状態を図１８（ｄ）に示す（先読みバッファに空が無いため原稿の先読みは行われない。）。
更に、次ページ表示操作が行われ、５枚目の原稿を表示した場合のバッファメモリの状態を図１８（ｅ）に示す（この時は最古ページ（２ページ目）が破棄される。また、先読み用の原稿がセットされていない場合とする。）。
【００８４】
更に、次ページ表示操作が行われ、６枚目の原稿を表示した場合のバッファメモリの状態を図１９（ａ）に示す（この時は最古ページ（３ページ目）が破棄される。また、先読み用の原稿がセットされていない場合とする。）。
以降、次ページ表示操作が行われても、先読み用の原稿がセットされるまでこの次ページ表示操作は無視される。
先読み用の原稿が２枚以上セットされた場合のバッファメモリの状態を図１９（ｂ）に示す（先読みバッファが空であったため先読みが行われる。）。
【００８５】
以上説明したように、本実施形態によれば、読み取り対象原稿を予め読み取っておくことにより、原稿表示の要求があった際、原稿の表示までにかかる時間の短縮及び過去の画像データの蓄積により、再描画の際に原稿を再度読み取ること無く瞬時に原稿の再表示が行うことができ、効果的なプレゼンテーションが可能となる。
【００８６】
（第４の実施形態）
第３の実施形態において、先読みページ数が固定されていたため、初期状態においてはメモリバッファに未使用領域が発生していたが、指定されていた先読みページ数を最小値として扱い、先読みページ数を自動的に割り振り、未使用領域をすべて先読み用として追加使用することも可能である。
【００８７】
なお、各実施形態において説明した原稿撮像装置の機能を実現するように、各種のデバイスを動作させるためのプログラムコード自体及びそのプログラムコードをＣＰＵに供給するための手段、例えば、かかるプログラムコードを格納した記憶媒体は本発明の範疇に属する。
【００８８】
また、各実施形態において説明した原稿撮像方法を実現するように、例えば図３のＳ１〜Ｓ１２の各ステップ、図４のＳ２１〜Ｓ３１の各ステップ、図５のＳ５１〜Ｓ５４の各ステップ、図６のＳ４１〜Ｓ４４の各ステップ、図７のＳ６１〜Ｓ６９の各ステップ、図８のＳ７１〜Ｓ８０の各ステップ、図９のＳ８１〜Ｓ８６の各ステップ、図１１のＳ１０１〜Ｓ１１１’の各ステップ、図１２のＳ１２１〜Ｓ１３２の各ステップ、図１３のＳ１４１〜Ｓ１４４の各ステップ、図１４のＳ１５１〜Ｓ１５５の各ステップ、図１５のＳ１６１〜Ｓ１６３の各ステップをＣＰＵに実行させるためのプログラムコード自体及びそのプログラムコードをＣＰＵに供給するための手段、例えば、かかるプログラムコードを格納した記憶媒体は本発明の範疇に属する。
【００８９】
またこの場合、所定の記憶再生装置により、記憶媒体に格納されているプログラムコードが読み出され、ＣＰＵが動作する。かかるプログラムコードを記憶する記憶媒体としては、例えばフロッピーディスク、ハードディスク、光ディスク、光磁気ディスク、ＣＤ−ＲＯＭ、磁気テープ、不揮発性のメモリカード、ＲＯＭ等を用いることができる。
【００９０】
また、ＣＰＵが供給されたプログラムコードを実行することにより、各実施形態の機能が実現されるだけでなく、そのプログラムコードがＣＰＵにおいて稼働しているＯＳ（オペレーティングシステム）或いは他のプログラムと共同して各実施形態の機能が実現される場合にもかかるプログラムコードは本発明に含まれる。
【００９１】
更に、供給されたプログラムコードが本撮像装置の機能拡張ボードや本撮像装置に接続された機能拡張ユニットに備わるメモリに格納された後、そのプログラムコードの指示に基づいてＣＰＵが実際の処理の一部または全部を行い、その処理によって本実施形態の機能が実現されるシステムも本発明に含まれる。
【００９２】
【発明の効果】
本発明においては、以下に示すような諸効果を奏することができる。
【００９３】
原稿の画像情報を表示装置に表示し、その原稿について説明をしている間に、次の原稿の画像情報をバッファメモリに取り込んでおくことができるため・リニアイメージセンサを使用した装置であっても高速に画面切替のできる原稿撮像装置及び方法を提供することができる。
【００９４】
表示済みの原稿の画像情報を表示装置に再表示する場合でも、再読み込みすることなく高速に画面を切り替えることができ、また、例えば回転など同じの画像に対して繰り返し変換処理を施す場合にも、繰り返しによる画像劣化の増加のない高画質な原稿撮像装置を提供することができる。
【００９５】
少ないバッファメモリ容量においても多くの枚数の原稿を一度にセットして連続して読み込み表示できる原稿撮像装置を提供することができる。
【００９６】
別々の機構を１つの動力源で駆動することができるため、小型軽量で廉価な原稿撮像装置を提供することができる。
【００９７】
少ないバッファメモリ容量においても多くの枚数の原稿の情報を格納でき読み直ししなければならない確率が低い高速な原稿撮像装置を提供することができる。
【００９８】
説明者以外に専任の原稿の乗せ替えを行なう者を必要とすることもなく、また、プレゼンテーションの説明者が任意のタイミングで容易に表示画面の切り替え、変換を行うことができるため、説明の流れを崩さずスムーズでより効果的なプレゼンテーションを行うことを可能とする原稿撮像装置を提供することができる。
【００９９】
表示前の画像を予め記憶しておくことにより、画像表示の要求があった際、画像の表示までにかかる時間の短縮及び画像情報の蓄積により、再描画の際に原稿を再度読み取ること無く瞬時に画像の再表示が行うことができ、効果的なプレゼンテーションが可能となる。
【図面の簡単な説明】
【図１】本発明の第１の実施形態の原稿撮像装置を示すブロック図である。
【図２】本発明の第１の実施形態の原稿撮像装置における機械的構造を示す概略断面図である。
【図３】本発明の第１の実施形態の原稿撮像装置における起動後の処理手順を示す流れ図である。
【図４】本発明の第１の実施形態の原稿撮像装置における原稿給送及び読み取りの処理手順を示す流れ図である。
【図５】本発明の第１の実施形態の原稿撮像装置における原稿排出の処理手順を示す流れ図である。
【図６】本発明の第１の実施形態の原稿撮像装置における原稿の新規表示の処理手順を示す流れ図である。
【図７】本発明の第１の実施形態の原稿撮像装置における第２のバッファメモリヘのデータ転送と表示メモリヘのデータ転送の際の処理手順を示す流れ図である。
【図８】本発明の第１の実施形態の原稿撮像装置における回転表示の処理手順を示す流れ図である。
【図９】本発明の第１の実施形態の原稿撮像装置における表示済み原稿の再表示の処理手順を示す流れ図である。
【図１０】本発明の第２の実施形態の原稿撮像装置を示すブロック図である。
【図１１】本発明の第２の実施形態の原稿撮像装置の起動後の処理手順を示す流れ図である。
【図１２】本発明の第２の実施形態の原稿撮像装置の原稿給送及び原稿読み取りの処理手順を示す流れ図である。
【図１３】本発明の第２の実施形態の原稿撮像装置の原稿排出の処理手順を示す流れ図である。
【図１４】本発明の第２の実施形態の原稿撮像装置の次ページ表示の処理手順を示す流れ図である。
【図１５】本発明の第２の実施形態の原稿撮像装置の前ページ表示の処理手順を示す流れ図である。
【図１６】本発明の第２の実施形態によるページ管理、リングバッファ構造によるバッファメモリの使用時の様子を示す模式図である。
【図１７】図１６に引き続き、本発明の第２の実施形態によるページ管理、リングバッファ構造によるバッファメモリの使用時の様子を示す模式図である。
【図１８】図１７に引き続き、本発明の第２の実施形態によるページ管理、リングバッファ構造によるバッファメモリの使用時の様子を示す模式図である。
【図１９】図１８に引き続き、本発明の第２の実施形態によるページ管理、リングバッファ構造によるバッファメモリの使用時の様子を示す模式図である。
【図２０】従来のエリアイメージセンサを用いた原稿撮像装置の構造を示す模式図である。
【図２１】従来のリニアイメージセンサを用いた原稿撮像装置を示すブロック図である。
【符号の説明】
１  原稿撮像装置
２  リニアイメージセンサ
３  原稿位置検出器
４  副走査駆動機構
５  Ａ／Ｄコンバータ
６  （第１の）バッファメモリ
７  第２のバッファメモリ
８  表示メモリ
９  ビデオ信号発生器
１０  表示装置情報読み出し器
１１  ＣＰＵ
１２  ＲＯＭ
１３  表示性能指定用スイッチ
１４  動作方法指定用スイッチ
１５  表示装置
１６  原稿
１７  多数枚の原稿
１８  原稿トレイ
１９  原稿セット検知器
２０  給紙ローラ
２１  分離ローラ
２２  メインローラ
２３  排紙ローラ
２４  光源ランプ
２５  白色板
２６  第１ミラー
２７  第２ミラー
２８  第３ミラー
２９  第４ミラー
３０  レンズ
３１  メイン制御基板
３２  表示装置接続用コネクタ
３７  原稿撮像装置
３８  副走査位置検出器
３９  副走査駆動機構
【図１】
0004440442.tif 000002
【図２】
0004440442.tif 000003
【図３】
0004440442.tif 000004
【図４】
0004440442.tif 000005
【図５】
0004440442.tif 000006
【図６】
0004440442.tif 000007
【図７】
0004440442.tif 000008
【図８】
0004440442.tif 000009
【図９】
0004440442.tif 000010
【図１０】
0004440442.tif 000011
【図１１】
0004440442.tif 000012
【図１２】
0004440442.tif 000013
【図１３】
0004440442.tif 000014
【図１４】
0004440442.tif 000015
【図１５】
0004440442.tif 000016
【図１６】
0004440442.tif 000017
【図１７】
0004440442.tif 000018
【図１８】
0004440442.tif 000019
【図１９】
0004440442.tif 000020
【図２０】
0004440442.tif 000021
【図２１】
0004440442.tif 000022